(57)【要約】【課題】ユーザ端末が複数の無線信号を同時に送信する場合でも、正常な信号伝送を実現可能とする。【解決手段】ｅＮＢ２００は、無線信号ＳＧ１をｅＮＢ２００に送信するとともに無線信号ＳＧ２をＵＥ１００−２に送信するＵＥ１００−１を有する移動通信システムにおいて用いられる。ｅＮＢ２００は、無線信号ＳＧ１の送信に割り当てるセルラ無線リソース及び無線信号ＳＧ２の送信に割り当てるＤ２Ｄ無線リソースのうち少なくとも一方を選択する。無線信号ＳＧ１の送信電力と無線信号ＳＧ２の送信電力とは異なっている。ｅＮＢ２００は、セルラ無線リソースとＤ２Ｄ無線リソースとの間に一定の周波数間隔を確保するように、セルラ無線リソース及びＤ２Ｄ無線リソースのうち少なくとも一方を選択する。【選択図】図６
2015026990.tif 000002
【特許請求の範囲】
【請求項１】
第１の無線信号を第１の無線通信装置に送信するとともに第２の無線信号を第２の無線通信装置に送信するユーザ端末を有する移動通信システムにおいて用いられる通信制御装置であって、
前記第１の無線信号の送信に割り当てる第１の無線リソース及び前記第２の無線信号の送信に割り当てる第２の無線リソースのうち少なくとも一方を選択する制御部を備え、
前記第１の無線信号の送信電力と前記第２の無線信号の送信電力とは異なっており、
前記制御部は、前記第１の無線リソースと前記第２の無線リソースとの間に一定の周波数間隔を確保するように、前記第１の無線リソース及び前記第２の無線リソースのうち少なくとも一方を選択することを特徴とする通信制御装置。
【請求項２】
前記制御部は、前記一定の周波数間隔を設定するためのパラメータを前記ユーザ端末から取得し、
前記パラメータは、前記ユーザ端末の能力に応じて定められており、
前記制御部は、前記パラメータに基づいて、前記一定の周波数間隔を設定することを特徴とする請求項１に記載の通信制御装置。
【請求項３】
前記パラメータは、漏洩電力が減衰する度合いに応じて段階的に規定された複数の周波数間隔を示し、
前記制御部は、前記パラメータに基づいて、前記複数の周波数間隔のうち、広い周波数間隔を優先的に前記一定の周波数間隔として設定することを特徴とする請求項２に記載の通信制御装置。
【請求項４】
前記移動通信システムで利用される１つのキャリアは、少なくとも前記一定の周波数間隔を空けて設けられた一対の無線リソース領域を含み、
前記制御部は、前記一対の無線リソース領域のうち一方の無線リソース領域に含まれる無線リソースを前記第１の無線リソースとして選択し、かつ、前記一対の無線リソース領域のうち他方の無線リソース領域に含まれる無線リソースを前記第２の無線リソースとして選択することを特徴とする請求項１に記載の通信制御装置。
【請求項５】
前記移動通信システムで利用される１つのキャリアは、少なくとも前記一定の周波数間隔を空けて設けられた一対の無線リソース領域を含み、
前記第１の無線信号は、前記第１の無線リソースとして、前記一方の無線リソース領域に含まれる無線リソースと前記他方の無線リソース領域に含まれる無線リソースとを交互に割り当てる周波数ホッピングが適用される上りリンク制御信号であり、
前記制御部は、前記周波数ホッピングの適用を停止した上で、前記一方の無線リソース領域に含まれる無線リソースを前記第１の無線リソースとして選択し、かつ、前記他方の無線リソース領域に含まれる無線リソースを前記第２の無線リソースとして選択することを特徴とする請求項１に記載の通信制御装置。
【請求項６】
前記移動通信システムで利用される１つのキャリアは、少なくとも前記一定の周波数間隔を空けて設けられた一対の無線リソース領域を含み、
前記第１の無線信号は、前記第１の無線リソースとして、前記一方の無線リソース領域に含まれる無線リソースと前記他方の無線リソース領域に含まれる無線リソースとを交互に割り当てる周波数ホッピングが適用される上りリンク制御信号であり、
前記制御部は、前記周波数ホッピングのホッピングパターンに応じて、前記一対の無線リソース領域のうち前記第１の無線リソースを含む無線リソース領域と反対の無線リソース領域に含まれる無線リソースを前記第２の無線リソースとして選択することを特徴とする請求項１に記載の通信制御装置。
【請求項７】
前記第２の無線信号は、ユーザデータを含む無線信号であり、
前記制御部は、前記第２の無線リソースに関する割り当て情報を前記ユーザ端末に通知し、
前記割り当て情報は、前記キャリアのキャリア端を始点として、前記第２の無線リソースを構成する無線リソースが周波数方向に連続する数を示すことを特徴とする請求項４乃至６の何れか一項に記載の通信制御装置。
【請求項８】
前記移動通信システムで利用される第１のキャリアと第２のキャリアとの間には、少なくとも前記一定の周波数間隔が設けられており、
前記制御部は、前記第１のキャリアに含まれる無線リソースを前記第１の無線リソースとして選択し、かつ、前記第２のキャリアに含まれる無線リソースを前記第２の無線リソースとして選択することを特徴とする請求項１に記載の通信制御装置。
【請求項９】
前記移動通信システムで利用される第１のキャリア及び第２のキャリアは、周波数方向に連続しており、
前記制御部は、前記第１の無線リソースと前記第２の無線リソースとの間に前記一定の周波数間隔を確保しながら、前記第１のキャリアに含まれる無線リソースを前記第１の無線リソースとして選択し、かつ、前記第２のキャリアに含まれる無線リソースを前記第２の無線リソースとして選択することを特徴とする請求項１に記載の通信制御装置。
【請求項１０】
前記第１の無線信号は、前記第１の無線リソースとして、前記第１のキャリアにおける一対の無線リソース領域のうち一方の無線リソース領域に含まれる無線リソースと他方の無線リソース領域に含まれる無線リソースとを交互に割り当てる周波数ホッピングが適用される上りリンク制御信号であり、
前記制御部は、前記周波数ホッピングの適用を停止した上で、前記第１のキャリアに含まれる無線リソースを前記第１の無線リソースとして選択し、かつ、前記第２のキャリアに含まれる無線リソースを前記第２の無線リソースとして選択することを特徴とする請求項９に記載の通信制御装置。
【請求項１１】
前記制御部は、前記周波数ホッピングの適用を停止すべき期間を示す情報を、前記ユーザ端末を含む複数のユーザ端末に送信することを特徴とする請求項１０に記載の通信制御装置。
【請求項１２】
前記移動通信システムは、直接的な端末間通信であるＤ２Ｄ通信をサポートしており、
前記第１の無線通信装置及び前記第２の無線通信装置のうち少なくとも一方は、ユーザ端末であることを特徴とする請求項１乃至１１の何れか一項に記載の通信制御装置。
【請求項１３】
前記移動通信システムは、異なる基地局により管理されるセルの組み合わせである一対のセルと前記ユーザ端末が一対の接続を確立する二重接続をサポートしており、
前記第１の無線通信装置及び前記第２の無線通信装置は、何れも基地局であることを特徴とする請求項１乃至１１の何れか一項に記載の通信制御装置。
【請求項１４】
第１の無線信号を第１の無線通信装置に送信するとともに第２の無線信号を第２の無線通信装置に送信するユーザ端末であって、
前記第１の無線信号の送信電力と前記第２の無線信号の送信電力とは異なっており、
前記ユーザ端末は、前記第１の無線信号の送信に割り当てる第１の無線リソース及び前記第２の無線信号の送信に割り当てる第２の無線リソースのうち少なくとも一方を選択する通信制御装置に対して、前記第１の無線リソースと前記第２の無線リソースとの間に確保すべき一定の周波数間隔を設定するためのパラメータを送信する送信部を備え、
前記パラメータは、前記ユーザ端末の能力に応じて定められることを特徴とするユーザ端末。
【発明の詳細な説明】
【技術分野】
【０００１】
本発明は、移動通信システムにおいて用いられる通信制御装置及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、端末間（Ｄｅｖｉｃｅ  ｔｏ  Ｄｅｖｉｃｅ：Ｄ２Ｄ）通信の導入が検討されている（非特許文献１参照）。Ｄ２Ｄ通信は、近接する複数のユーザ端末がネットワークを介さずに直接的な端末間通信を行う方式である。
【０００３】
また、３ＧＰＰでは、二重接続（Ｄｕａｌ  ｃｏｎｎｅｃｔｉｖｉｔｙ）の導入が検討されている（非特許文献２参照）。二重接続は、異なる基地局により管理されるセルの組み合わせである一対のセルとユーザ端末が一対の接続を確立する方式である。
【先行技術文献】
【非特許文献】
【０００４】
【非特許文献１】３ＧＰＰ技術報告書  「ＴＲ  ２２．８０３  Ｖ１２．１．０」  ２０１３年３月
【非特許文献２】３ＧＰＰ寄書  「ＲＰ−１２２０３３」  ２０１２年１２月
【発明の概要】
【発明が解決しようとする課題】
【０００５】
上述したＤ２Ｄ通信及び二重接続などにおいては、ユーザ端末が、複数の無線信号を複数の無線通信装置に同時に送信する状況が想定される。
【０００６】
ここで、複数の無線信号の間に送信電力差が存在する場合には、電力が大きい無線信号による干渉の影響により、電力が小さい無線信号の品質が劣化し、正常な信号伝送ができなくなる虞がある。
【０００７】
そこで、本発明は、ユーザ端末が複数の無線信号を同時に送信する場合でも、正常な信号伝送を実現可能とすることを目的とする。
【課題を解決するための手段】
【０００８】
第１の特徴に係る通信制御装置は、第１の無線信号を第１の無線通信装置に送信するとともに第２の無線信号を第２の無線通信装置に送信するユーザ端末を有する移動通信システムにおいて用いられる。前記通信制御装置は、前記第１の無線信号の送信に割り当てる第１の無線リソース及び前記第２の無線信号の送信に割り当てる第２の無線リソースのうち少なくとも一方を選択する制御部を備える。前記第１の無線信号の送信電力と前記第２の無線信号の送信電力とは異なっている。前記制御部は、前記第１の無線リソースと前記第２の無線リソースとの間に一定の周波数間隔を確保するように、前記第１の無線リソース及び前記第２の無線リソースのうち少なくとも一方を選択する。
【０００９】
第２の特徴に係るユーザ端末は、第１の無線信号を第１の無線通信装置に送信するとともに第２の無線信号を第２の無線通信装置に送信する。前記第１の無線信号の送信電力と前記第２の無線信号の送信電力とは異なっている。前記ユーザ端末は、前記第１の無線信号の送信に割り当てる第１の無線リソース及び前記第２の無線信号の送信に割り当てる第２の無線リソースのうち少なくとも一方を選択する通信制御装置に対して、前記第１の無線リソースと前記第２の無線リソースとの間に確保すべき一定の周波数間隔を設定するためのパラメータを送信する送信部を備える。前記パラメータは、前記ユーザ端末の能力に応じて定められる。
【発明の効果】
【００１０】
本発明によれば、ユーザ端末が複数の無線信号を同時に送信する場合でも、正常な信号伝送を実現できる。
【図面の簡単な説明】
【００１１】
【図１】第１実施形態及び第２実施形態に係るＬＴＥシステムの構成図である。
【図２】第１実施形態及び第２実施形態に係るＵＥのブロック図である。
【図３】第１実施形態及び第２実施形態に係るｅＮＢのブロック図である。
【図４】第１実施形態及び第２実施形態に係る無線インターフェイスのプロトコルスタック図である。
【図５】第１実施形態及び第２実施形態に係る無線フレームの構成図である。
【図６】第１実施形態及び第２実施形態に係る動作環境を説明するための図である。
【図７】図６に示す動作環境において生じる問題を説明するための図である。
【図８】第１実施形態に係る、シングルキャリアの場合のセルラ無線リソース及びＤ２Ｄ無線リソースの割り当て具体例を示す図である。
【図９】第１実施形態に係る、シングルキャリアの場合のセルラ無線リソース及びＤ２Ｄ無線リソースの割り当て具体例を示す図である。
【図１０】第１実施形態に係る動作シーケンス図である。
【図１１】第１実施形態の変更例１を説明するための図である。
【図１２】第１実施形態の変更例１に係るシーケンス図である。
【図１３】第２実施形態に係る、シングルキャリアの場合の動作パターン１を説明するための図である。
【図１４】第２実施形態に係る、シングルキャリアの場合の動作パターン２を説明するための図である。
【図１５】第２実施形態に係る、マルチキャリアの場合の動作を説明するための図である。
【図１６】第２実施形態に係る動作シーケンス図である。
【図１７】その他の実施形態１を説明するための図である。
【図１８】その他の実施形態２を説明するための図である。
【発明を実施するための形態】
【００１２】
［実施形態の概要］
一実施形態に係る通信制御装置は、第１の無線信号を第１の無線通信装置に送信するとともに第２の無線信号を第２の無線通信装置に送信するユーザ端末を有する移動通信システムにおいて用いられる。前記通信制御装置は、前記第１の無線信号の送信に割り当てる第１の無線リソース及び前記第２の無線信号の送信に割り当てる第２の無線リソースのうち少なくとも一方を選択する制御部を備える。前記第１の無線信号の送信電力と前記第２の無線信号の送信電力とは異なっている。前記制御部は、前記第１の無線リソースと前記第２の無線リソースとの間に一定の周波数間隔を確保するように、前記第１の無線リソース及び前記第２の無線リソースのうち少なくとも一方を選択する。
【００１３】
一実施形態では、前記制御部は、前記一定の周波数間隔を設定するためのパラメータを前記ユーザ端末から取得する。前記パラメータは、前記ユーザ端末の能力に応じて定められている。前記制御部は、前記パラメータに基づいて、前記一定の周波数間隔を設定する。
【００１４】
一実施形態では、前記パラメータは、漏洩電力が減衰する度合いに応じて段階的に規定された複数の周波数間隔を示す。前記制御部は、前記パラメータに基づいて、前記複数の周波数間隔のうち、広い周波数間隔を優先的に前記一定の周波数間隔として設定する。
【００１５】
一実施形態では、前記移動通信システムで利用される１つのキャリアは、少なくとも前記一定の周波数間隔を空けて設けられた一対の無線リソース領域を含む。前記制御部は、前記一対の無線リソース領域のうち一方の無線リソース領域に含まれる無線リソースを前記第１の無線リソースとして選択し、かつ、前記一対の無線リソース領域のうち他方の無線リソース領域に含まれる無線リソースを前記第２の無線リソースとして選択する。
【００１６】
一実施形態では、前記移動通信システムで利用される１つのキャリアは、少なくとも前記一定の周波数間隔を空けて設けられた一対の無線リソース領域を含む。前記第１の無線信号は、前記第１の無線リソースとして、前記一方の無線リソース領域に含まれる無線リソースと前記他方の無線リソース領域に含まれる無線リソースとを交互に割り当てる周波数ホッピングが適用される上りリンク制御信号である。前記制御部は、前記周波数ホッピングの適用を停止した上で、前記一方の無線リソース領域に含まれる無線リソースを前記第１の無線リソースとして選択し、かつ、前記他方の無線リソース領域に含まれる無線リソースを前記第２の無線リソースとして選択する。
【００１７】
一実施形態では、前記移動通信システムで利用される１つのキャリアは、少なくとも前記一定の周波数間隔を空けて設けられた一対の無線リソース領域を含む。前記第１の無線信号は、前記第１の無線リソースとして、前記一方の無線リソース領域に含まれる無線リソースと前記他方の無線リソース領域に含まれる無線リソースとを交互に割り当てる周波数ホッピングが適用される上りリンク制御信号である。前記制御部は、前記周波数ホッピングのホッピングパターンに応じて、前記一対の無線リソース領域のうち前記第１の無線リソースを含む無線リソース領域と反対の無線リソース領域に含まれる無線リソースを前記第２の無線リソースとして選択する。
【００１８】
一実施形態では、前記第２の無線信号は、ユーザデータを含む無線信号である。前記制御部は、前記第２の無線リソースに関する割り当て情報を前記ユーザ端末に通知する。前記割り当て情報は、前記キャリアのキャリア端を始点として、前記第２の無線リソースを構成する無線リソースが周波数方向に連続する数を示す。
【００１９】
一実施形態では、前記移動通信システムで利用される第１のキャリアと第２のキャリアとの間には、少なくとも前記一定の周波数間隔が設けられている。前記制御部は、前記第１のキャリアに含まれる無線リソースを前記第１の無線リソースとして選択し、かつ、前記第２のキャリアに含まれる無線リソースを前記第２の無線リソースとして選択する。
【００２０】
一実施形態では、前記移動通信システムで利用される第１のキャリア及び第２のキャリアは、周波数方向に連続している。前記制御部は、前記第１の無線リソースと前記第２の無線リソースとの間に前記一定の周波数間隔を確保しながら、前記第１のキャリアに含まれる無線リソースを前記第１の無線リソースとして選択し、かつ、前記第２のキャリアに含まれる無線リソースを前記第２の無線リソースとして選択する。
【００２１】
一実施形態では、前記第１の無線信号は、前記第１の無線リソースとして、前記第１のキャリアにおける一対の無線リソース領域のうち一方の無線リソース領域に含まれる無線リソースと他方の無線リソース領域に含まれる無線リソースとを交互に割り当てる周波数ホッピングが適用される上りリンク制御信号である。前記制御部は、前記周波数ホッピングの適用を停止した上で、前記第１のキャリアに含まれる無線リソースを前記第１の無線リソースとして選択し、かつ、前記第２のキャリアに含まれる無線リソースを前記第２の無線リソースとして選択する。
【００２２】
一実施形態では、前記制御部は、前記周波数ホッピングの適用を停止すべき期間を示す情報を、前記ユーザ端末を含む複数のユーザ端末に送信する。
【００２３】
一実施形態では、前記移動通信システムは、直接的な端末間通信であるＤ２Ｄ通信をサポートしている。前記第１の無線通信装置及び前記第２の無線通信装置のうち少なくとも一方は、ユーザ端末である。
【００２４】
一実施形態では、前記移動通信システムは、異なる基地局により管理されるセルの組み合わせである一対のセルと前記ユーザ端末が一対の接続を確立する二重接続をサポートしている。前記第１の無線通信装置及び前記第２の無線通信装置は、何れも基地局である。
【００２５】
一実施形態に係るユーザ端末は、第１の無線信号を第１の無線通信装置に送信するとともに第２の無線信号を第２の無線通信装置に送信する。前記第１の無線信号の送信電力と前記第２の無線信号の送信電力とは異なっている。前記ユーザ端末は、前記第１の無線信号の送信に割り当てる第１の無線リソース及び前記第２の無線信号の送信に割り当てる第２の無線リソースのうち少なくとも一方を選択する通信制御装置に対して、前記第１の無線リソースと前記第２の無線リソースとの間に確保すべき一定の周波数間隔を設定するためのパラメータを送信する送信部を備える。前記パラメータは、前記ユーザ端末の能力に応じて定められる。
【００２６】
［第１実施形態］
以下において、本発明をＬＴＥシステムに適用する場合の実施形態を説明する。
【００２７】
（システム構成）
図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２８】
ＵＥ１００は、ユーザ端末に相当する。ＵＥ１００は、移動型の通信装置であり、接続先のセル（サービングセル）との無線通信を行う。ＵＥ１００の構成については後述する。
【００２９】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３０】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３１】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３２】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３３】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００３４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３５】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３６】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。
【００３７】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００３８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３９】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４０】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４２】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロック、及び送信電力を決定（スケジューリング）するケジューラを含む。
【００４３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４４】
ＰＤＣＰ層は、ヘッダ圧縮・伸張、及び暗号化・復号化を行う。
【００４５】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４６】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４７】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４８】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００４９】
ＵＥ１００に割り当てられる無線リソースのうち、周波数リソースはリソースブロックにより構成され、時間リソースはサブフレーム（又はスロット）により構成される。
【００５０】
下りリンクにおいて、各サブフレームの先頭数シンボルの区間は、主に下りリンク制御信号を伝送するための物理下りリンク制御チャネル（ＰＤＣＣＨ）として使用される領域である。また、各サブフレームの残りの部分は、主に下りリンクユーザデータを伝送するための物理下りリンク共有チャネル（ＰＤＳＣＨ）として使用できる領域である。
【００５１】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクユーザデータを伝送するための物理上りリンク共有チャネル（ＰＵＳＣＨ）として使用できる領域である。
【００５２】
（Ｄ２Ｄ通信）
第１実施形態に係るＬＴＥシステムは、直接的な端末間通信（ＵＥ間通信）であるＤ２Ｄ通信をサポートする。ここでは、Ｄ２Ｄ通信を、ＬＴＥシステムの通常の通信であるセルラ通信と比較して説明する。
【００５３】
セルラ通信は、データパスがネットワーク（Ｅ−ＵＴＲＡＮ１０、ＥＰＣ２０）を経由する通信モードである。データパスとは、ユーザデータの通信経路である。これに対し、Ｄ２Ｄ通信は、ＵＥ間に設定されるデータパスがネットワークを経由しない通信モードである。相互に近接する複数のＵＥ１００は、ｅＮＢ２００のセルにおいて、低送信電力で直接的に無線通信を行う。このように、近接する複数のＵＥ１００が低送信電力で直接的に無線通信を行うことにより、セルラ通信と比べて、ＵＥ１００の消費電力を削減し、かつ、隣接セルへの干渉を低減できる。
【００５４】
（第１実施形態に係る動作）
次に、第１実施形態に係る動作について説明する。
【００５５】
（１）動作概要
Ｄ２Ｄ通信をサポートするＬＴＥシステムにおいては、複数の無線通信装置と関連する複数の無線信号をＵＥ１００が同時に送信又は受信することが想定される。図６は、第１実施形態に係る動作環境を説明するための図である。図７は、第１実施形態に係る動作環境において生じる問題を説明するための図である。
【００５６】
図６に示すように、ｅＮＢ２００が管理するセル（以下、単に「ｅＮＢ２００のセル」という。）にＵＥ１００−１及びＵＥ１００−２が在圏している。ＵＥ１００−１は、ｅＮＢ２００の制御下で、ｅＮＢ２００とのセルラ通信を行うとともに、ＵＥ１００−２とのＤ２Ｄ通信を行う。
【００５７】
ＵＥ１００−１は、セルラ通信における無線信号ＳＧ１をｅＮＢ２００に送信する。ＵＥ１００−１は、Ｄ２Ｄ通信における無線信号ＳＧ２をＵＥ１００−２に送信する。ＵＥ１００−１は、無線信号ＳＧ１及び無線信号ＳＧ２を同時に送信する。換言すると、ＵＥ１００−１は、無線信号ＳＧ１（第１の無線信号）をｅＮＢ２００（第１の無線通信装置）に送信するとともに無線信号ＳＧ２（第２の無線信号）をＵＥ１００−２（第２の無線通信装置）に送信する。無線信号ＳＧ１及び無線信号ＳＧ２は、周波数が異なっている。ＵＥ１００−２は、無線信号ＳＧ２を受信するが、その際に無線信号ＳＧ１も受信してしまう。
【００５８】
図６に示す動作環境では、ＵＥ１００−１は、ｅＮＢ２００から遠方に位置する。また、ＵＥ１００−１は、Ｄ２Ｄ通信の通信相手であるＵＥ１００−２の近傍に位置する。よって、ＵＥ１００−１は、高い送信電力で無線信号ＳＧ１を送信する。これに対し、ＵＥ１００−１は、低い送信電力で無線信号ＳＧ２を送信する。その結果、ＵＥ１００−２は、高い受信電力で無線信号ＳＧ１を受信し、低い受信電力で無線信号ＳＧ２を受信する。
【００５９】
図７に示すように、無線信号ＳＧ１及び無線信号ＳＧ２における電力差が大きい場合に、電力が大きい無線信号ＳＧ１による干渉の影響により、電力が小さい無線信号ＳＧ２の信号雑音比（ＳＮＲ）が劣化し、正常な信号伝送が困難になり得る。具体的には、送信側のＵＥ１００−１において、無線信号ＳＧ１の送信歪みにより、無線信号ＳＧ１の漏洩電力によるノイズが無線信号ＳＧ２に混入し、ＵＥ１００−２において無線信号ＳＧ２のＳＮＲが劣化することがある。或いは、ＵＥ１００−１においてノイズが無線信号ＳＧ２に混入しない場合であっても、ＵＥ１００−２において、無線信号ＳＧ１による受信歪み（受信ブロッキング及びＩＭ応答）により、無線信号ＳＧ２のＳＮＲが劣化することがある。
【００６０】
第１実施形態に係るｅＮＢ２００（通信制御装置）は、無線信号ＳＧ１の送信に割り当てるセルラ無線リソース（第１の無線リソース）及び無線信号ＳＧ２の送信に割り当てるＤ２Ｄ無線リソース（第２の無線リソース）のうち少なくとも一方を選択する。セルラ無線リソースは、例えばＰＵＣＣＨリソース及びＰＵＳＣＨリソースを含む。Ｄ２Ｄ無線リソースは、例えば物理Ｄ２Ｄ共有チャネル（ＰＤ２ＤＳＣＨ）リソースを含む。
【００６１】
上述したように、無線信号ＳＧ１の送信電力と無線信号ＳＧ２の送信電力とは異なっている。具体的には、無線信号ＳＧ１の送信電力は、無線信号ＳＧ２の送信電力よりも大きい。
【００６２】
ｅＮＢ２００は、セルラ無線リソースとＤ２Ｄ無線リソースとの間に一定の周波数間隔を確保するように、セルラ無線リソース及びＤ２Ｄ無線リソースのうち少なくとも一方を選択する。ここで「一定の周波数間隔」とは、無線信号ＳＧ１が無線信号ＳＧ２に与える干渉の影響が十分に低減される程度の周波数間隔とすることが好ましい。一定の周波数間隔を確保する具体例については後述する。
【００６３】
このように、セルラ無線リソースとＤ２Ｄ無線リソースとの間に一定の周波数間隔を確保することにより、無線信号ＳＧ１の漏洩電力によるノイズが無線信号ＳＧ２に混入することを抑制できる。また、ＵＥ１００−２において、無線信号ＳＧ１による受信歪み（受信ブロッキング及びＩＭ応答）により、無線信号ＳＧ２のＳＮＲが劣化することを抑制できる。従って、ＵＥ１００−１が複数の無線信号を同時に送信する場合でも、正常な信号伝送を実現できる。
【００６４】
（２）動作具体例
次に、第１実施形態に係る動作具体例について、（２．１）シングルキャリアの場合の動作、（２．２）マルチキャリアの場合の動作、（２．３）動作シーケンス、の順に説明する。
【００６５】
（２．１）シングルキャリアの場合の動作
第１に、ｅＮＢ２００が運用するキャリア（周波数帯域）が１つである場合の動作、すなわちシングルキャリアの場合の動作について説明する。
【００６６】
（２．１．１）動作パターン１
シングルキャリアの場合の動作パターン１では、ｅＮＢ２００は、１つのキャリア内で、周波数方向に最大限離した位置にセルラ無線リソース及びＤ２Ｄ無線リソースを配置する。
【００６７】
具体的には、１つのキャリアは、少なくとも一定の周波数間隔を空けて設けられた一対の無線リソース領域を含む。ｅＮＢ２００は、一対の無線リソース領域のうち一方の無線リソース領域に含まれる無線リソースをセルラ無線リソースとして選択し、かつ、一対の無線リソース領域のうち他方の無線リソース領域に含まれる無線リソースをＤ２Ｄ無線リソースとして選択する。これにより、ＵＥ１００−１に割り当てるセルラ無線リソースとＤ２Ｄ無線リソースとの間に一定の周波数間隔を確保できる。なお、一方の無線リソース領域とは、周波数方向において一方のキャリア端から所定範囲までの端部領域である。他方の無線リソース領域とは、周波数方向において他方のキャリア端から所定範囲までの端部領域である。
【００６８】
或いは、ｅＮＢ２００は、周波数方向において一方のキャリア端から空き無線リソースを順次探索して、検出された空き無線リソースをセルラ無線リソースとして選択するとともに、周波数方向において他方のキャリア端から空き無線リソースを順次探索して、検出された空き無線リソースをＤ２Ｄ無線リソースとして選択してもよい。
【００６９】
（２．１．２）動作パターン２
シングルキャリアの場合の動作パターン２では、ＵＥ１００−１は、一定の周波数間隔Δｆを設定するためのパラメータをｅＮＢ２００に送信する。パラメータは、ＵＥ１００−１の能力（例えば、無線送受信機１１０の性能）に応じて定められている。パラメータは、ＵＥ１００−１の能力を示す情報であってもよく、ＵＥ１００−１の能力に応じた周波数間隔Δｆを示す情報（例えば、リソースブロック数）であってもよい。ＵＥ１００−１は、ｅＮＢ２００からの要求に応じてパラメータをｅＮＢ２００に送信する。或いは、ＵＥ１００−１は、ｅＮＢ２００からの要求がなくてもパラメータをｅＮＢ２００に送信してもよい。
【００７０】
ｅＮＢ２００は、一定の周波数間隔Δｆを設定するためのパラメータをＵＥ１００−１から取得し、取得したパラメータに基づいて、一定の周波数間隔Δｆを設定する。例えば、ｅＮＢ２００は、ＵＥ１００−１の能力が低い場合には、一定の周波数間隔Δｆを大きく設定する。
【００７１】
或いは、ｅＮＢ２００は、一定の周波数間隔Δｆを設定するためのパラメータをコアネットワーク（ＥＰＣ２０）から取得し、取得したパラメータに基づいて、一定の周波数間隔Δｆを設定してもよい。
【００７２】
図８は、シングルキャリアの場合のセルラ無線リソース及びＤ２Ｄ無線リソースの割り当て具体例を示す図である。
【００７３】
図８に示すように、ｅＮＢ２００は、期間Ｔ１における割り当てとして、周波数方向において一方のキャリア端部に位置する無線リソースをセルラ無線リソース（ＰＵＣＣＨリソース）として割り当てている。また、ｅＮＢ２００は、期間Ｔ１における割り当てとして、周波数方向において他方のキャリア端部に位置する無線リソースをＰＤ２ＤＳＣＨリソースとして割り当てている。セルラ無線リソースとＤ２Ｄ無線リソースとの間には一定の周波数間隔Δｆが確保されている。
【００７４】
ｅＮＢ２００は、期間Ｔ２における割り当てとして、周波数方向において一方のキャリア端部に位置する無線リソースをセルラ無線リソース（ＰＵＣＣＨリソース及びＰＵＳＣＨリソース）として割り当てている。また、ｅＮＢ２００は、期間Ｔ２における割り当てとして、周波数方向において他方のキャリア端部に位置する無線リソースをＰＤ２ＤＳＣＨリソースとして割り当てている。セルラ無線リソースとＤ２Ｄ無線リソースとの間には一定の周波数間隔Δｆが確保されている。
【００７５】
（２．２）マルチキャリアの場合の動作
第２に、ｅＮＢ２００が運用するキャリア（周波数帯域）が複数である場合の動作、すなわちマルチキャリアの場合の動作について説明する。
【００７６】
（２．２．１）動作パターン１
マルチキャリアの場合の動作パターン１では、第１のキャリアと第２のキャリアとの間には、少なくとも一定の周波数間隔が設けられている。
【００７７】
ｅＮＢ２００は、第１のキャリアに含まれる無線リソースをセルラ無線リソースとして選択し、かつ、第２のキャリアに含まれる無線リソースをＤ２Ｄ無線リソースとして選択する。このように、ｅＮＢ２００は、セルラ無線リソースを含むキャリアとは異なるキャリアに含まれる無線リソースをＤ２Ｄ無線リソースとして選択する。これにより、ＵＥ１００−１に割り当てるセルラ無線リソースとＤ２Ｄ無線リソースとの間に一定の周波数間隔を確保できる。例えば、ＵＥ１００−１がキャリアアグリゲーションにより通信を行う場合に、ｅＮＢ２００は、プライマリコンポーネントキャリア（ＰＣＣ）に含まれる無線リソースをセルラ無線リソースとして選択し、セカンダリコンポーネントキャリア（ＳＣＣ）に含まれる無線リソースをＤ２Ｄ無線リソースとして選択してもよい。
【００７８】
さらに、ｅＮＢ２００は、３つ以上のキャリアを運用する場合には、３つ以上のキャリアの中からキャリア間の周波数間隔が最も大きい２つのキャリア（第１のキャリア及び第２のキャリア）を選択した上で、第１のキャリアに含まれる無線リソースをセルラ無線リソースとして選択し、かつ、第２のキャリアに含まれる無線リソースをＤ２Ｄ無線リソースとして選択してもよい。
【００７９】
（２．２．２）動作パターン２
マルチキャリアの場合の動作パターン２では、第１のキャリア及び第２のキャリアは、周波数方向に連続している。ｅＮＢ２００は、セルラ無線リソースとＤ２Ｄ無線リソースとの間に一定の周波数間隔を確保しながら、第１のキャリアに含まれる無線リソースをセルラ無線リソースとして選択し、かつ、第２のキャリアに含まれる無線リソースをＤ２Ｄ無線リソースとして選択する。ここで、ｅＮＢ２００は、ＵＥ１００−１又はコアネットワーク（ＥＰＣ２０）から取得したパラメータに基づいて一定の周波数間隔を設定してもよい。
【００８０】
図９は、マルチキャリアの場合のセルラ無線リソース及びＤ２Ｄ無線リソースの割り当て具体例を示す図である。
【００８１】
図９に示すように、ｅＮＢ２００は、期間Ｔ１における割り当てとして、第１のキャリアＣＣ１のキャリア端部に位置する無線リソースをセルラ無線リソース（ＰＵＣＣＨリソース）として割り当てている。また、ｅＮＢ２００は、期間Ｔ１における割り当てとして、第２のキャリアＣＣ２のキャリア端部に位置する無線リソースをＰＤ２ＤＳＣＨリソースとして割り当てている。セルラ無線リソースとＤ２Ｄ無線リソースとの間には一定の周波数間隔Δｆが確保されている。
【００８２】
ｅＮＢ２００は、期間Ｔ２における割り当てとして、第１のキャリアＣＣ１のキャリア端部に位置する無線リソースをセルラ無線リソース（ＰＵＣＣＨリソース及びＰＵＳＣＨリソース）として割り当てている。また、ｅＮＢ２００は、期間Ｔ２における割り当てとして、第２のキャリアＣＣ２のキャリア端部に位置する無線リソースをＰＤ２ＤＳＣＨリソースとして割り当てている。セルラ無線リソースとＤ２Ｄ無線リソースとの間には一定の周波数間隔Δｆが確保されている。
【００８３】
（２．３）動作シーケンス
図１０は、第１実施形態に係る動作シーケンス図である。ここでは、上述した動作パターン２における動作シーケンスについて説明する。
【００８４】
図１０に示すように、ステップＳ１０１において、ＵＥ１００−１は、ｅＮＢ２００とのＲＲＣ接続を確立する。
【００８５】
ステップＳ１０２において、ＵＥ１００−１は、一定の周波数間隔Δｆを設定するためのパラメータをｅＮＢ２００に送信する。パラメータは、ＵＥ１００−１の能力（例えば、無線送受信機１１０の性能）に応じて定められている。
【００８６】
ステップＳ１０３において、ＥＰＣ２０は、一定の周波数間隔Δｆを設定するためのパラメータをｅＮＢ２００に送信する。なお、ステップＳ１０２及びステップＳ１０３の何れか一方は省略してもよく、その場合には後述するステップＳ１０４も省略可能である。
【００８７】
ステップＳ１０４において、ｅＮＢ２００は、ＵＥ１００−１及びＥＰＣ２０のそれぞれから取得したパラメータのうち、対応する周波数間隔Δｆが大きい方を選択し、選択した周波数間隔Δｆを記憶する。
【００８８】
ステップＳ１０５において、ＵＥ１００−１は、セルラ無線リソース及びＤ２Ｄ無線リソースの割り当てを要求するための割り当て要求（Ｓｃｈｅｄｕｌｉｎｇ  Ｒｅｑｕｅｓｔ）をｅＮＢ２００に送信する。
【００８９】
ステップＳ１０６において、ｅＮＢ２００は、セルラ無線リソース及びＤ２Ｄ無線リソースを選択（すなわち、スケジューリング）する。
【００９０】
ステップＳ１０７において、ｅＮＢ２００は、セルラ無線リソース（ＰＵＣＣＨリソース又はＰＵＳＣＨリソース）とＰＤ２ＤＳＣＨリソースとの間の周波数間隔が、ステップＳ１０４で記憶した周波数間隔Δｆよりも大きいか否かを確認する。ステップＳ１０７で「ＮＯ」の場合、ｅＮＢ２００は、ステップＳ１０６で改めてセルラ無線リソース及びＤ２Ｄ無線リソースを選択（すなわち、再スケジューリング）する。
【００９１】
ステップＳ１０７で「ＹＥＳ」の場合、ステップＳ１０８において、ｅＮＢ２００は、選択したセルラ無線リソース及びＤ２Ｄ無線リソースを示す割り当て情報（Ｒｅｓｏｕｒｃｅ  Ａｌｌｏｃａｔｉｏｎ）をＵＥ１００−１（及びＵＥ１００−２）に送信する。
【００９２】
ステップＳ１０９において、割り当て情報を受信したＵＥ１００−１は、割り当て情報が示すセルラ無線リソースを使用して無線信号ＳＧ１をｅＮＢ２００に送信するとともに、割り当て情報が示すＤ２Ｄ無線リソースを使用して無線信号ＳＧ２をＵＥ１００−２に送信する。
【００９３】
（第１実施形態のまとめ）
上述したように、ｅＮＢ２００は、セルラ無線リソースとＤ２Ｄ無線リソースとの間に一定の周波数間隔を確保するように、セルラ無線リソース及びＤ２Ｄ無線リソースのうち少なくとも一方を選択する。これにより、無線信号ＳＧ１の漏洩電力によるノイズが無線信号ＳＧ２に混入することを抑制できる。また、ＵＥ１００−２において、無線信号ＳＧ１による受信歪み（受信ブロッキング及びＩＭ応答）により、無線信号ＳＧ２のＳＮＲが劣化することを抑制できる。従って、ＵＥ１００−１が複数の無線信号を同時に送信する場合でも、正常な信号伝送を実現できる。
【００９４】
第１実施形態では、ＵＥ１００−１は、一定の周波数間隔Δｆを設定するためのパラメータをｅＮＢ２００に送信する。パラメータは、ＵＥ１００−１の能力（例えば、無線送受信機１１０の性能）に応じて定められている。これにより、ｅＮＢ２００は、ＵＥ１００−１に対して最適な周波数間隔Δｆを設定できる。
【００９５】
［第１実施形態の変更例１］
上述した第１実施形態に係る動作パターン２では、一定の周波数間隔Δｆは１種類のみであったが、一定の周波数間隔Δｆを段階的に規定してもよい。図１１は、第１実施形態の変更例１を説明するための図である。
【００９６】
図１１に示すように、第１実施形態の変更例１では、ｅＮＢ２００がＵＥ１００−１又はＥＰＣ２０から取得するパラメータは、無線信号ＳＧ１の漏洩電力が減衰する度合い（ΔＲ）に応じて段階的に規定された複数の周波数間隔（Δｆ１、Δｆ２）を示す。図１１に示すような周波数−信号電力分布は、スペクトラムマスクと称される。
【００９７】
ｅＮＢ２００は、パラメータ（すなわち、スペクトラムマスク）に基づいて、複数の周波数間隔（Δｆ１、Δｆ２）のうち、広い周波数間隔を優先的に一定の周波数間隔Δｆとして設定する。例えば、ｅＮＢ２００は、最大値（最も大きい周波数間隔Δｆ）を用いたスケジューリングを試み、そのスケジューリングが不可であった場合に、２番目に大きいΔｆを用いたスケジューリングを試みる。或いは、ｅＮＢ２００は、スペクトラムマスクから予想される干渉量に応じて、無線信号ＳＧ２の送信に適用する変調・符号化方式（ＭＣＳ）を調整してもよい。
【００９８】
図１２は、第１実施形態の変更例１に係るシーケンス図である。
【００９９】
図１２に示すように、ステップＳ２０１において、ＵＥ１００−２は、ＵＥ１００−１とＵＥ１００−２との間のチャネル状態を示すチャネル状態情報（ＣＳＩ）をｅＮＢ２００に送信する。ｅＮＢ２００は、後述するステップＳ２０８においてＣＳＩを利用する。
【０１００】
ステップＳ２０２において、ＵＥ１００−１は、ｅＮＢ２００とのＲＲＣ接続を確立する。
【０１０１】
ステップＳ２０３において、ＵＥ１００−１は、一定の周波数間隔Δｆを設定するためのパラメータ（スペクトラムマスク）をｅＮＢ２００に送信する。パラメータは、ＵＥ１００−１の能力（例えば、無線送受信機１１０の性能）に応じて定められている。
【０１０２】
ステップＳ２０４において、ＥＰＣ２０は、一定の周波数間隔Δｆを設定するためのパラメータ（スペクトラムマスク）をｅＮＢ２００に送信する。なお、ステップＳ２０３及びステップＳ２０４の何れか一方は省略してもよい。
【０１０３】
ステップＳ２０５において、ＵＥ１００−１は、セルラ無線リソース及びＤ２Ｄ無線リソースの割り当てを要求するための割り当て要求（Ｓｃｈｅｄｕｌｉｎｇ  Ｒｅｑｕｅｓｔ）をｅＮＢ２００に送信する。
【０１０４】
ステップＳ２０６において、ｅＮＢ２００は、セルラ無線リソース及びＤ２Ｄ無線リソースを選択（すなわち、スケジューリング）する。
【０１０５】
ステップＳ２０７において、ｅＮＢ２００は、セルラ無線リソース（ＰＵＣＣＨリソース又はＰＵＳＣＨリソース）とＰＤ２ＤＳＣＨリソースとの間の周波数間隔が、最大の周波数間隔Δｆよりも大きいか否かを確認する。ステップＳ２０７で「ＹＥＳ」の場合、ｅＮＢ２００は、処理をステップＳ２０９に進める。
【０１０６】
ステップＳ２０７で「ＮＯ」の場合、ステップＳ２０８において、ｅＮＢ２００は、２番目に大きい周波数間隔Δｆが確保されるセルラ無線リソース及びＤ２Ｄ無線リソースを選択する。また、ｅＮＢ２００は、スペクトラムマスクに基づいて、無線信号ＳＧ１から無線信号ＳＧ２が受ける干渉量を予測する。そして、ｅＮＢ２００は、干渉量及びＣＳＩに基づいて、無線信号ＳＧ２の送信に適用するＭＣＳを選択する。
【０１０７】
ステップＳ２０９において、ｅＮＢ２００は、選択したセルラ無線リソース、Ｄ２Ｄ無線リソース、及びＭＣＳを示す割り当て情報（Ｒｅｓｏｕｒｃｅ  Ａｌｌｏｃａｔｉｏｎ）をＵＥ１００−１（及びＵＥ１００−２）に送信する。
【０１０８】
ステップＳ２１０において、割り当て情報を受信したＵＥ１００−１は、割り当て情報が示すセルラ無線リソースを使用して無線信号ＳＧ１をｅＮＢ２００に送信するとともに、割り当て情報が示すＤ２Ｄ無線リソース及びＭＣＳを使用して無線信号ＳＧ２をＵＥ１００−２に送信する。
【０１０９】
［第１実施形態の変更例２］
上述した第１実施形態では、ＵＥ１００−１に対するセルラ無線リソース及びＤ２Ｄ無線リソースの割り当てをｅＮＢ２００（通信制御装置）が行っていた。
【０１１０】
しかしながら、ＵＥ１００−１に対するセルラ無線リソースの割り当てをｅＮＢ２００が行うとともに、ＵＥ１００−１に対するＤ２Ｄ無線リソースの割り当てをＵＥ１００−２（他の通信制御装置）が行ってもよい。この場合、ｅＮＢ２００（通信制御装置）とＵＥ１００−２（他の通信制御装置）との間でリソース割当情報を共有することにより、セルラ無線リソースとＤ２Ｄ無線リソースとの間に一定の周波数間隔を確保するように、セルラ無線リソース及びＤ２Ｄ無線リソースの割り当てを協調して行うことができる。
【０１１１】
例えば、ＵＥ１００−２は、自身で選択するＤ２Ｄ無線リソースに関するリソース情報をｅＮＢ２００に送信する。ｅＮＢ２００は、自身で選択するセルラ無線リソースとＵＥ１００−２で選択するＤ２Ｄ無線リソースとの間に一定の周波数間隔を確保するように、セルラ無線リソースを選択する。
【０１１２】
或いは、ｅＮＢ２００は、自身で選択するセルラ無線リソースに関するリソース情報をＵＥ１００−２に送信する。ＵＥ１００−２は、自身で選択するＤ２Ｄ無線リソースとｅＮＢ２００で選択するセルラ無線リソースとの間に一定の周波数間隔を確保するように、Ｄ２Ｄ無線リソースを選択する。
【０１１３】
ＵＥ１００−２とｅＮＢ２００との間で送受信されるリソース情報は、以下の情報要素のうち少なくとも１つを含む。
・リソースブロック番号（自身が割り当てた無線リソース、または相手が割り当ててもよい無線リソースの範囲）
・キャリア番号（自身が割り当てたキャリア、または相手が割り当ててもよいキャリアの範囲）
・サブフレーム番号（または開始・終了範囲）
・該当ＵＥの識別子
［第２実施形態］
第２実施形態について、第１実施形態との相違点を主として説明する。第２実施形態は、システム構成及び動作環境については、第１実施形態と同様である。
【０１１４】
（第２実施形態に係る動作）
（１）動作概要
上述した第１実施形態では、ＰＵＣＣＨの周波数ホッピング（以下、「ＰＵＣＣＨホッピング」という）を特に考慮していないが、第２実施形態では、ＰＵＣＣＨホッピングを考慮した動作を行う。
【０１１５】
１つのキャリアは、少なくとも一定の周波数間隔を空けて設けられた一対の無線リソース領域（ＰＵＣＣＨ領域）を含む。第２実施形態では、無線信号ＳＧ１は、セルラ無線リソース（ＰＵＣＣＨリソース）として、一方の無線リソース領域に含まれる無線リソースと他方の無線リソース領域に含まれる無線リソースとを交互に割り当てる周波数ホッピングが適用される上りリンク制御信号である。ＰＵＣＣＨホッピングは、スロット単位で行われる。このようなＰＵＣＣＨホッピングにより、周波数ダイバーシチの効果が得られる。
【０１１６】
第２実施形態では、ｅＮＢ２００は、ＰＵＣＣＨホッピングを停止した上でＤ２Ｄ無線リソースの割り当てを行う。これにより、セルラ無線リソース（ＰＵＣＣＨリソース）とＰＤ２ＤＳＣＨリソースとの間に一定の周波数間隔を確保することが容易になる。
【０１１７】
或いは、ｅＮＢ２００は、ＰＵＣＣＨホッピングを停止することなく、ＰＵＣＣＨホッピングに合わせてＤ２Ｄ無線リソースの割り当てを行う。これにより、周波数ダイバーシチ効果を得て、上りリンク制御信号を良好に伝送できる。
【０１１８】
（２）動作具体例
次に、第２実施形態に係る動作具体例について、（２．１）シングルキャリアの場合の動作、（２．２）マルチキャリアの場合の動作、（２．３）動作シーケンス、の順に説明する。
【０１１９】
（２．１）シングルキャリアの場合の動作
第１に、ｅＮＢ２００が運用するキャリア（周波数帯域）が１つである場合の動作、すなわちシングルキャリアの場合の動作について説明する。
【０１２０】
（２．１．１）動作パターン１
図１３は、シングルキャリアの場合の動作パターン１を説明するための図である。
【０１２１】
図１３に示すように、ｅＮＢ２００は、ＰＵＣＣＨホッピングの適用を停止した上で、一方のＰＵＣＣＨ領域に含まれる無線リソースをセルラ無線リソースとして選択し、かつ、他方のＰＵＣＣＨ領域に含まれる無線リソースをＤ２Ｄ無線リソースとして選択する。
【０１２２】
具体的には、ｅＮＢ２００は、期間（スロット）Ｔ１における割り当てとして、一方のＰＵＣＣＨ領域に含まれる無線リソースをＰＵＣＣＨリソースとして割り当てている。また、ｅＮＢ２００は、期間（スロット）Ｔ１における割り当てとして、当該一方のＰＵＣＣＨ領域とは反対のキャリア端部に位置する無線リソースをＰＤ２ＤＳＣＨリソースとして割り当てている。
【０１２３】
同様に、ｅＮＢ２００は、期間（スロット）Ｔ２における割り当てとして、期間（スロット）Ｔ１と同様に、当該一方のＰＵＣＣＨ領域に含まれる無線リソースをＰＵＣＣＨリソースとして割り当てている。また、ｅＮＢ２００は、期間（スロット）Ｔ２における割り当てとして、当該一方のＰＵＣＣＨ領域とは反対のキャリア端部に位置する無線リソースをＰＤ２ＤＳＣＨリソースとして割り当てている。
【０１２４】
ｅＮＢ２００は、Ｄ２Ｄ無線リソースに関する割り当て情報を、例えばＰＤＣＣＨによりＵＥ１００−１に通知する。第２実施形態では、Ｄ２Ｄ無線リソースに関する割り当て情報は、ＰＵＣＣＨが割り当てられていない方のキャリア端を始点として、Ｄ２Ｄ無線リソースを構成する無線リソース（リソースブロック）が周波数方向に連続する数（すなわち、リソースブロック数）を示す。このような通知方法により、Ｄ２Ｄ無線リソースを構成する各リソースブロックを通知する場合に比べて、情報量を削減できる。
【０１２５】
（２．１．２）動作パターン２
図１４は、シングルキャリアの場合の動作パターン２を説明するための図である。
【０１２６】
図１４に示すように、ｅＮＢ２００は、ＰＵＣＣＨホッピングのホッピングパターンに応じて、ＵＥ１００−１に割り当てるＰＵＣＣＨリソースを含むＰＵＣＣＨ領域と反対のキャリア端部に位置する無線リソースをＤ２Ｄ無線リソースとして選択する。
【０１２７】
具体的には、ｅＮＢ２００は、期間（スロット）Ｔ１における割り当てとして、一方のＰＵＣＣＨ領域に含まれる無線リソースをＰＵＣＣＨリソースとして割り当てている。また、ｅＮＢ２００は、期間（スロット）Ｔ１における割り当てとして、当該一方のＰＵＣＣＨ領域とは反対のキャリア端部に位置する無線リソースをＰＤ２ＤＳＣＨリソースとして割り当てている。
【０１２８】
これに対し、ｅＮＢ２００は、期間（スロット）Ｔ２における割り当てとして、他方のＰＵＣＣＨ領域に含まれる無線リソースをＰＵＣＣＨリソースとして割り当てている。また、ｅＮＢ２００は、期間（スロット）Ｔ２における割り当てとして、当該他方のＰＵＣＣＨ領域とは反対のキャリア端部に位置する無線リソースをＰＤ２ＤＳＣＨリソースとして割り当てている。
【０１２９】
ｅＮＢ２００は、Ｄ２Ｄ無線リソースに関する割り当て情報を、例えばＰＤＣＣＨによりＵＥ１００−１に通知する。上述したように、Ｄ２Ｄ無線リソースに関する割り当て情報は、ＰＵＣＣＨが割り当てられていない方のキャリア端を始点として、Ｄ２Ｄ無線リソースを構成する無線リソース（リソースブロック）が周波数方向に連続する数（すなわち、リソースブロック数）を示す。但し、動作パターン２では、ＰＵＣＣＨが割り当てられていない方のキャリア端は、スロットごとに入れ替わる。
【０１３０】
（２．２）マルチキャリアの場合の動作
図１５は、マルチキャリアの場合の動作を説明するための図である。図１５において、第１のキャリアＣＣ１及び第２のキャリアＣＣ２は、周波数方向に連続している。
【０１３１】
図１５に示すように、ｅＮＢ２００は、ＰＵＣＣＨホッピングの適用を停止した上で、第１のキャリアＣＣ１に含まれる無線リソースをＰＵＣＣＨリソースとして選択し、かつ、第２のキャリアＣＣ２に含まれる無線リソースをＰＤ２ＤＳＣＨリソースとして選択する。
【０１３２】
具体的には、ｅＮＢ２００は、期間（スロット）Ｔ１における割り当てとして、第１のキャリアＣＣ１の一方のＰＵＣＣＨ領域に含まれる無線リソースをＰＵＣＣＨリソースとして割り当てている。また、ｅＮＢ２００は、期間（スロット）Ｔ１における割り当てとして、第２のキャリアＣＣ２に含まれる無線リソースをＰＤ２ＤＳＣＨリソースとして割り当てている。
【０１３３】
同様に、ｅＮＢ２００は、期間（スロット）Ｔ２における割り当てとして、期間（スロット）Ｔ１と同様に、当該一方のＰＵＣＣＨ領域に含まれる無線リソースをＰＵＣＣＨリソースとして割り当てている。また、ｅＮＢ２００は、期間（スロット）Ｔ２における割り当てとして、第２のキャリアＣＣ２に含まれる無線リソースをＰＤ２ＤＳＣＨリソースとして割り当てている。
【０１３４】
（２．３）動作シーケンス
第２実施形態に係るシングルキャリアの場合の動作パターン１、及びマルチキャリアの場合の動作では、ＰＵＣＣＨリソース及びＰＤ２ＤＳＣＨリソースが時間的に重複するサブフレームでのみＰＵＣＣＨホッピングを停止してもよい。
【０１３５】
但し、そのような一部のサブフレームでのみＰＵＣＣＨホッピングを停止すると、ＰＵＣＣＨホッピングを停止するＵＥ１００−１と、ＰＵＣＣＨホッピングを停止しない他のＵＥとで、ＰＵＣＣＨ割り当てパターンが異なってしまうため、ＰＵＳＣＨリソースの競合が生じる可能性がある。
【０１３６】
よって、ｅＮＢ２００は、ＵＥ１００−１及び他のＵＥに対して、ＰＵＣＣＨホッピングの適用を停止すべき期間（サブフレーム）を示す停止情報を送信することが好ましい。そして、当該他のＵＥもＰＵＣＣＨホッピングの適用を停止することにより、ＰＵＣＣＨ割り当てパターンを揃えることができるため、ＰＵＳＣＨリソースの競合を回避できる。
【０１３７】
停止情報は、ＰＵＣＣＨホッピングの適用を停止すべきサブフレームのサブフレーム番号である。或いは、停止情報の送受信から所定期間（例えば４サブフレーム）後のサブフレームでＰＵＣＣＨホッピングの適用を停止する取り決めを予め定めておく場合には、停止情報は単なるフラグであってもよい。
【０１３８】
また、停止情報は、例えばＰＤＣＣＨの共通領域又はシステム情報ブロック（ＳＩＢ）により報知される。或いは、停止情報は、例えばＲＲＣメッセージによりユニキャストで通知されてもよい。
【０１３９】
図１６は、第２実施形態に係る動作シーケンス図である。図１６において、ＵＥ１００−３は、例えばセルラ通信のみを行うＵＥである。
【０１４０】
図１６に示すように、ステップＳ３０１において、ＵＥ１００−１は、ｅＮＢ２００とのＲＲＣ接続を確立する。ステップＳ３０２において、ＵＥ１００−３は、ｅＮＢ２００とのＲＲＣ接続を確立する。
【０１４１】
ステップＳ３０３において、ＵＥ１００−１は、セルラ無線リソース及びＤ２Ｄ無線リソースの割り当てを要求するための割り当て要求（Ｓｃｈｅｄｕｌｉｎｇ  Ｒｅｑｕｅｓｔ）をｅＮＢ２００に送信する。
【０１４２】
ステップＳ３０４において、ｅＮＢ２００は、ＵＥ１００−１に割り当てるセルラ無線リソース及びＤ２Ｄ無線リソースを選択（すなわち、スケジューリング）する。
【０１４３】
ステップＳ３０５において、ｅＮＢ２００は、ＵＥ１００−１に割り当てるＰＵＣＣＨリソース及びＤ２Ｄ無線リソースが時間的に重複するサブフレーム（すなわち、ＰＵＣＣＨホッピングを停止すべきサブフレーム）においてＰＵＣＣＨ割り当てが発生する他のＵＥ１００−３が存在するか否かを確認する。
【０１４４】
ステップＳ３０５で「ＹＥＳ」の場合、ステップＳ３０６において、ＰＵＣＣＨホッピングを停止すべきサブフレームを特定するための停止情報（Ｓｔｏｐ  ｈｏｐｐｉｎｇ  ｉｎｆｏｒｍａｔｉｏｎ）をＵＥ１００−１及びＵＥ１００−３に送信する。
【０１４５】
ステップＳ３０７において、停止情報を受信したＵＥ１００−１は、停止情報に基づいて、現サブフレームがＰＵＣＣＨホッピングを停止すべきサブフレームであるか否かを確認する。ステップＳ３０７で「ＹＥＳ」の場合、ステップＳ３０８において、ＵＥ１００−１は、そのサブフレームにおいてＰＵＣＣＨホッピングを停止する。
【０１４６】
同様に、ステップＳ３０９において、停止情報を受信したＵＥ１００−３は、停止情報に基づいて、現サブフレームがＰＵＣＣＨホッピングを停止すべきサブフレームであるか否かを確認する。ステップＳ３０９で「ＹＥＳ」の場合、ステップＳ３１０において、ＵＥ１００−３は、そのサブフレームにおいてＰＵＣＣＨホッピングを停止する。
【０１４７】
ステップＳ３１１において、ＵＥ１００−１は、ＰＵＣＣＨリソースを使用して上りリンク制御信号をｅＮＢ２００に送信する。さらに、ＵＥ１００−１は、Ｄ２Ｄ無線リソース（ＰＤ２ＤＳＣＨリソース）又はＰＵＳＣＨリソースを使用してユーザデータを送信する。
【０１４８】
ステップＳ３１２において、ＵＥ１００−３は、ＰＵＣＣＨリソースを使用して上りリンク制御信号をｅＮＢ２００に送信する。
【０１４９】
（第２実施形態のまとめ）
上述したように、ｅＮＢ２００は、ＰＵＣＣＨホッピングを停止した上でＤ２Ｄ無線リソースの割り当てを行う。これにより、セルラ無線リソース（ＰＵＣＣＨリソース）とＰＤ２ＤＳＣＨリソースとの間に一定の周波数間隔を確保することが容易になる。
【０１５０】
或いは、ｅＮＢ２００は、ＰＵＣＣＨホッピングを停止することなく、ＰＵＣＣＨホッピングに合わせてＤ２Ｄ無線リソースの割り当てを行う。これにより、周波数ダイバーシチ効果を得て、上りリンク制御信号を良好に伝送できる。
【０１５１】
［その他の実施形態］
上述した各実施形態では、ＵＥ１００−１は、セルラ通信における無線信号ＳＧ１及びＤ２Ｄ通信における無線信号ＳＧ２を同時に送信していた。しかしながら、ＵＥ１００−１は、Ｄ２Ｄ通信における無線信号ＳＧ１及びＤ２Ｄ通信における無線信号ＳＧ２を同時に送信してもよい。図１７は、その他の実施形態１を説明するための図である。図１７に示すように、ｅＮＢ２００のセルにＵＥ１００−１乃至ＵＥ１００−３が在圏している。ＵＥ１００−１は、ｅＮＢ２００の制御下で、ＵＥ１００−２及びＵＥ１００−３とのＤ２Ｄ通信を行う。ＵＥ１００−１は、Ｄ２Ｄ通信における無線信号ＳＧ１をＵＥ１００−２に送信するとともに、Ｄ２Ｄ通信における無線信号ＳＧ２をＵＥ１００−３に送信する。無線信号ＳＧ１及び無線信号ＳＧ２は、周波数が異なっている。図１７に示す動作環境では、ＵＥ１００−２は、ＵＥ１００−１から遠方に位置する。ＵＥ１００−３は、ＵＥ１００−１の近傍に位置する。よって、ＵＥ１００−１は、高い送信電力で無線信号ＳＧ１を送信し、低い送信電力で無線信号ＳＧ２を送信する。このような動作環境に対して、上述した各実施形態に係る動作を応用してもよい。この場合、ＵＥ１００−１に対するリソース割り当ては、ｅＮＢ２００、ＵＥ１００−２、又はＵＥ１００−３が単独で又は協調して行ってもよい。
【０１５２】
或いは、ＵＥ１００は、セルラ通信における無線信号ＳＧ１及びセルラ通信における無線信号ＳＧ２を同時に送信してもよい。図１８は、その他の実施形態２を説明するための図である。図１８に示すように、マクロｅＮＢ（ＭｅＮＢ）２００−１のセル内に、ピコｅＮＢ（ＰｅＮＢ）２００−２が設けられている。ＰｅＮＢ２００−２のセルにＵＥ１００が在圏している。ＵＥ１００は、二重接続により、ＭｅＮＢ２００−１及びＰｅＮＢ２００−２の制御下で、ＭｅＮＢ２００−１及びＰｅＮＢ２００−２とのセルラ通信を行う。ＵＥ１００は、セルラ通信における無線信号ＳＧ１をＭｅＮＢ２００−１に送信するとともに、セルラ通信における無線信号ＳＧ２をＰｅＮＢ２００−２に送信する。無線信号ＳＧ１及び無線信号ＳＧ２は、周波数が異なっている。図１８に示す動作環境では、ＵＥ１００は、ＭｅＮＢ２００−１から遠方に位置するとともに、ＰｅＮＢ２００−２の近傍に位置する。よって、ＵＥ１００は、高い送信電力で無線信号ＳＧ１を送信し、低い送信電力で無線信号ＳＧ２を送信する。このような動作環境に対して、上述した各実施形態に係る動作を応用してもよい。この場合、ＵＥ１００に対するリソース割り当ては、ＭｅＮＢ２００−１又はＰｅＮＢ２００−２が単独で又は協調して行ってもよい。
【０１５３】
上述した各実施形態において、無線端末がＳＧ１及びＳＧ２を同時送信する時間帯と、無線端末が同時送信を行わずに単独送信を行う時間帯と、が存在する場合、無線端末は、同時送信を行う時間帯のみ上述した動作を行い、単独送信を行う時間帯には上述の動作を適用しないものとしてもよい。
【０１５４】
上述した各実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１５５】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ
【図１】
2015026990.tif 000003
【図２】
2015026990.tif 000004
【図３】
2015026990.tif 000005
【図４】
2015026990.tif 000006
【図５】
2015026990.tif 000007
【図６】
2015026990.tif 000008
【図７】
2015026990.tif 000009
【図８】
2015026990.tif 000010
【図９】
2015026990.tif 000011
【図１０】
2015026990.tif 000012
【図１１】
2015026990.tif 000013
【図１２】
2015026990.tif 000014
【図１３】
2015026990.tif 000015
【図１４】
2015026990.tif 000016
【図１５】
2015026990.tif 000017
【図１６】
2015026990.tif 000018
【図１７】
2015026990.tif 000019
【図１８】
2015026990.tif 000020